(57)【特許請求の範囲】
【請求項１】
複数のボタンを有するボタン電話機を収容接続する各内線回路に内線番号を付与し、内線番号毎に、同内線番号への着信に応答可能な着信応答ボタンを前記ボタン電話機に備え、同内線番号への外線着信を検出すると、同内線番号に対応した着信応答ボタンにボタン着信するボタン着信機能を備えた電話交換装置であって、
前記ボタン着信を検出したか否かを判定するボタン着信検出判定手段と、
前記ボタン着信検出判定手段にて前記ボタン着信を検出した場合、同ボタン着信に関わる着信履歴情報を作成する着信履歴情報作成手段と、
前記着信履歴情報作成手段にて作成した着信履歴情報を記憶する着信履歴情報記憶手段と、
前記着信履歴情報記憶手段に記憶中の着信履歴情報を前記ボタン電話機の表示手段に表示するよう、各ボタン電話機を表示制御する表示制御手段と、
前記ボタン電話機の複数のボタンの内、任意のボタンに、前記着信履歴情報を前記表示手段に表示する履歴表示機能を割り当て、前記任意のボタンを履歴表示ボタンとして構成するボタン割当手段と、
前記内線番号の内、任意の内線番号のボタン着信に関わる着信履歴情報を表示する前記ボタン電話機のグループを着信履歴グループとして管理する着信履歴グループ管理手段と、
前記着信履歴グループ毎に認証パスワードを管理する認証パスワード管理手段と、
前記ボタン電話機側の前記履歴表示ボタンのボタン操作を検出すると、前記ボタン電話機の入力パスワードと、前記認証パスワード管理手段で管理中の前記ボタン電話機の着信履歴グループの認証パスワードとを照合するパスワード照合手段とを有し、
前記表示制御手段は、前記パスワード照合手段にて前記入力パスワード及び前記認証パスワードが合致した場合に、前記着信履歴情報記憶手段に記憶中の前記ボタン電話機が属する着信履歴グループに関わる着信履歴情報を同ボタン電話機の表示手段に表示させることを特徴とする電話交換装置。
【請求項２】
前記表示制御手段は、前記着信履歴情報記憶手段に記憶中の着信履歴情報に関わる内線番号に対応した着信履歴グループを前記着信履歴グループ管理手段から検索し、この着信履歴グループに属する全ボタン電話機に対して同着信履歴情報を表示可能にすべく、同ボタン電話機を表示制御することを特徴とする請求項１記載の電話交換装置。
【請求項３】
前記ボタン着信検出判定手段にて前記ボタン着信を検出した場合、前記ボタン着信に対する不応答を検出したか否かを判定する不応答検出判定手段と、
前記不応答検出判定手段にて前記ボタン着信に対する不応答を検出した場合、前記着信履歴情報作成手段にて同不応答のボタン着信に関わる不応答着信履歴情報を作成し、この作成した不応答着信履歴情報を記憶する不応答着信履歴情報記憶手段とを有し、
前記表示制御手段は、前記不応答着信履歴情報記憶手段に記憶中の不応答着信履歴情報を前記ボタン電話機の表示手段に表示可能にすべく、各ボタン電話機を表示制御することを特徴とする請求項１記載の電話交換装置。
【請求項４】
複数の内線番号の内、任意の内線番号のボタン着信に関わる不応答着信履歴情報を表示する前記ボタン電話機のグループを着信履歴グループとして管理する着信履歴グループ管理手段を有し、
前記表示制御手段は、前記不応答着信履歴情報記憶手段に記憶中の不応答着信履歴情報に関わる内線番号に対応した着信履歴グループを前記着信履歴グループ管理手段から検索し、この着信履歴グループに属する全ボタン電話機に対して同不応答着信履歴情報を表示可能にすべく、同ボタン電話機を表示制御することを特徴とする請求項３記載の電話交換装置。
【請求項５】
前記表示制御手段は、前記不応答着信履歴情報記憶手段に前記不応答着信履歴情報が記憶中の場合、同不応答着信履歴情報の内線番号に対応する前記着信応答ボタンを備えた前記ボタン電話機に同不応答のボタン着信の発生を識別表示させるべく、同ボタン電話機を表示制御することを特徴とする請求項３記載の電話交換装置。
【請求項６】
前記表示制御手段は、前記不応答着信履歴情報記憶手段に前記不応答着信履歴情報が記憶中の場合、同不応答着信履歴情報の内線番号に対応した着信履歴グループを前記着信履歴グループ管理手段から検索し、この着信履歴グループに属する全ボタン電話機に対して同不応答のボタン着信の発生を識別表示させるべく、同ボタン電話機を表示制御することを特徴とする請求項４記載の電話交換装置。
【請求項７】
前記ボタン電話機の複数のボタンの内、任意のボタンに、前記不応答着信履歴情報を前記表示手段に表示する履歴表示機能を割り当て、同ボタンを履歴表示ボタンとして構成するボタン割当手段を有し、
前記表示制御手段は、前記ボタン電話機側の前記履歴表示ボタンのボタン操作を検出すると、前記不応答着信履歴情報記憶手段に記憶中の同ボタン電話機が属する着信履歴グループに関わる不応答着信履歴情報を同ボタン電話機の表示手段に表示させることを特徴とする請求項４又は６記載の電話交換装置。
【請求項８】
前記表示制御手段は、前記パスワード照合手段にて前記入力パスワード及び前記認証パスワードが合致した場合に、前記不応答着信履歴情報記憶手段に記憶中の同ボタン電話機が属する着信履歴グループに関わる不応答着信履歴情報を同ボタン電話機の表示手段に表示させることを特徴とする請求項７記載の電話交換装置。
【発明の詳細な説明】
【技術分野】
【０００１】
本発明は、内線番号毎に、同内線番号への着信に応答可能な着信応答ボタンを備えたボタン電話機、例えば多機能電話機（ＭＦＴ）を収容接続し、同内線番号への外線着信を検出すると、同内線番号に対応した着信応答ボタンにボタン着信するボタン着信機能を備えた電話交換装置に関する。
【背景技術】
【０００２】
従来、このような電話交換装置としては、ＭＦＴを収容接続する内線回路（ＭＴＬＩＮ回路）に内線番号を付与し、内線番号毎に、同内線番号への着信に応答可能な着信応答ボタンをＭＦＴに備え、同内線番号への外線着信を検出すると、同内線番号に対応した着信応答ボタンにボタン着信するボタン着信機能を備えたものが広く採用されている。
【０００３】
また、電話交換装置としては、ボタン着信機能を採用してはいないが、外線からＭＦＴへの端末着信を検出した場合は、同外線の発信者情報及び着信時刻を含む着信履歴を記憶、同ＭＦＴが端末着信に応答した場合は、同ＭＦＴの応答履歴を記憶、同ＭＦＴが端末着信に不応答の場合は、同ＭＦＴの不応答履歴を記憶し、例えばＭＦＴ側の応答履歴表示操作を検出すると、記憶中の応答履歴をＭＦＴの表示部に画面表示すると共に、不応答履歴表示操作を検出すると、記憶中の不応答履歴をＭＦＴの表示部に画面表示するようにしたので、ＭＦＴ側のユーザは、所定表示操作に応じて、ＭＦＴへの端末着信に関わる着信履歴、応答履歴及び不応答履歴を認識することができる（例えば特許文献１参照）。
【特許文献１】特開２００７−９７２３５号公報（要約書及び図２参照）
【発明の開示】
【発明が解決しようとする課題】
【０００４】
しかしながら、上記特許文献１の電話交換装置によれば、例えばＭＦＴ毎に内線番号を付与し、同内線番号のＭＦＴへの外線着信、すなわちＭＦＴへの端末着信に関わる着信履歴及び不応答履歴を記憶するようにしたが、内線回路毎に内線番号を付与し、同内線番号の着信に応答可能な着信応答ボタンをＭＦＴに備え、同内線番号の着信を検出すると、同内線番号に対応する各ＭＦＴの着信応答ボタンに外線着信するボタン着信に関わる着信履歴や不応答履歴等の履歴情報を記憶しておらず、ＭＦＴ（ボタン電話機）側のユーザでは、ボタン着信に関わる履歴情報を確認することができないのが実情である。
【０００５】
本発明は上記点に鑑みてなされたものであり、その目的とするところは、ボタン着信に関わる着信履歴情報をボタン電話機に表示可能にした電話交換装置を提供することにある。
【課題を解決するための手段】
【０００６】
上記目的を達成するために本願請求項１記載の電話交換装置は、複数のボタンを有するボタン電話機を収容接続する各内線回路に内線番号を付与し、内線番号毎に、同内線番号への着信に応答可能な着信応答ボタンを前記ボタン電話機に備え、同内線番号への外線着信を検出すると、同内線番号に対応した着信応答ボタンにボタン着信するボタン着信機能を備えた電話交換装置であって、前記ボタン着信を検出したか否かを判定するボタン着信検出判定手段と、前記ボタン着信検出判定手段にて前記ボタン着信を検出した場合、同ボタン着信に関わる着信履歴情報を作成する着信履歴情報作成手段と、前記着信履歴情報作成手段にて作成した着信履歴情報を記憶する着信履歴情報記憶手段と、前記着信履歴情報記憶手段に記憶中の着信履歴情報を前記ボタン電話機の表示手段に表示するよう、各ボタン電話機を表示制御する表示制御手段と、前記ボタン電話機の複数のボタンの内、任意のボタンに、前記着信履歴情報を前記表示手段に表示する履歴表示機能を割り当て、前記任意のボタンを履歴表示ボタンとして構成するボタン割当手段と、前記内線番号の内、任意の内線番号のボタン着信に関わる着信履歴情報を表示する前記ボタン電話機のグループを着信履歴グループとして管理する着信履歴グループ管理手段と、前記着信履歴グループ毎に認証パスワードを管理する認証パスワード管理手段と、前記ボタン電話機側の前記履歴表示ボタンのボタン操作を検出すると、前記ボタン電話機の入力パスワードと、前記認証パスワード管理手段で管理中の前記ボタン電話機の着信履歴グループの認証パスワードとを照合するパスワード照合手段とを有し、前記表示制御手段は、前記パスワード照合手段にて前記入力パスワード及び前記認証パスワードが合致した場合に、前記着信履歴情報記憶手段に記憶中の前記ボタン電話機が属する着信履歴グループに関わる着信履歴情報を同ボタン電話機の表示手段に表示させることを特徴とする。
【０００７】
従って、本願請求項１記載の電話交換装置によれば、ボタン着信を検出した場合、同ボタン着信に関わる着信履歴情報を作成し、この作成したボタン着信に関わる着信履歴情報を着信履歴情報記憶手段に記憶し、この記憶中のボタン着信に関わる着信履歴情報を前記ボタン電話機の表示手段に表示可能にしたので、ボタン電話機のユーザは、表示手段に表示中のボタン着信に関わる着信履歴情報を見て、同ボタン着信に関わる着信履歴情報を認識することができる。
【０００８】
また、本願請求項１記載の電話交換装置によれば、前記ボタン電話機の複数のボタンの内、任意のボタンに履歴表示機能を割り当て、同ボタンを履歴表示ボタンとして構成し、前記ボタン電話機側の前記履歴表示ボタンのボタン操作を検出すると、前記着信履歴情報記憶手段に記憶中の同ボタン電話機が属する着信履歴グループに関わる着信履歴情報を同ボタン電話機の表示手段に表示させるようにしたので、ボタン電話機側のユーザは、履歴表示ボタンのボタン操作に応じて同ボタン電話機が属する着信履歴グループに関わる着信履歴情報を表示画面上で認識することができる。
【０００９】
さらにまた、本願請求項１記載の電話交換装置によれば、前記ボタン電話機側の前記履歴表示ボタンのボタン操作を検出すると、同ボタン電話機の入力パスワードと、前記認証パスワード管理手段に管理中の同ボタン電話機の着信履歴グループの認証パスワードとを照合し、これら入力パスワード及び認証パスワードが合致した場合にのみ、前記着信履歴情報記憶手段に記憶中の同ボタン電話機が属する着信履歴グループに関わる着信履歴情報を同ボタン電話機の表示手段に表示させるようにしたので、着信履歴グループ内の着信履歴情報に関わる第三者の不正アクセスを確実に防止することができる。
【００１０】
また、本願請求項２記載の電話交換機は、本願請求項１記載の構成において、前記表示制御手段が、前記着信履歴情報記憶手段に記憶中の着信履歴情報に関わる内線番号に対応した着信履歴グループを前記着信履歴グループ管理手段から検索し、この着信履歴グループに属する全ボタン電話機に対して同着信履歴情報を表示可能にすべく、同ボタン電話機を表示制御するよにした。
【００１１】
従って、本願請求項２記載の電話交換装置によれば、本願請求項１記載の効果に加えて、複数の内線番号の内、任意の内線番号のボタン着信に関わる着信履歴情報を表示可能にする前記ボタン電話機のグループを着信履歴グループとして管理しておき、前記着信履歴情報記憶手段に記憶中の着信履歴情報に関わる内線番号に対応した着信履歴グループを検索し、この着信履歴グループに属する全ボタン電話機に対して同ボタン着信に関わる着信履歴情報を表示可能にしたので、ボタン電話機側のユーザは、自分の属する着信履歴グループ内の同ボタン着信に関わる着信履歴情報を認識することができる。
【００１２】
また、本願請求項３記載の電話交換装置は、本願請求項１記載の構成において、前記ボタン着信検出判定手段にて前記ボタン着信を検出した場合、前記ボタン着信に対する不応答を検出したか否かを判定する不応答検出判定手段と、前記不応答検出判定手段にて前記ボタン着信に対する不応答を検出した場合、前記着信履歴情報作成手段にて同不応答のボタン着信に関わる不応答着信履歴情報を作成し、この作成した不応答着信履歴情報を記憶する不応答着信履歴情報記憶手段とを有し、前記表示制御手段が、前記不応答着信履歴情報記憶手段に記憶中の不応答着信履歴情報を前記ボタン電話機の表示手段に表示可能にすべく、各ボタン電話機を表示制御するようにした。
【００１３】
従って、本願請求項３記載の電話交換装置によれば、本願請求項１記載の効果に加えて、ボタン着信に対する不応答を検出した場合、不応答のボタン着信に関わる不応答着信履歴情報を作成し、この作成した不応答着信履歴情報を不応答着信履歴情報記憶手段に記憶し、この不応答着信履歴情報記憶手段に記憶中の不応答着信履歴情報を前記ボタン電話機の表示手段に表示可能にしたので、ボタン電話機側のユーザは、表示手段に表示中の不応答着信履歴情報を見て、ボタン着信に関わる不応答着履歴情報を認識することができる。
【００１４】
また、本願請求項４記載の電話交換装置は、本願請求項３記載の構成において、複数の内線番号の内、任意の内線番号のボタン着信に関わる不応答着信履歴情報を表示可能にする前記ボタン電話機のグループを着信履歴グループとして管理する着信履歴グループ管理手段を有し、前記表示制御手段が、前記不応答着信履歴情報記憶手段に記憶中の不応答着信履歴情報に関わる内線番号に対応した着信履歴グループを前記着信履歴グループ管理手段から検索し、この着信履歴グループに属する全ボタン電話機に対して同不応答着信履歴情報を表示可能にすべく、同ボタン電話機を表示制御するようにした。
【００１５】
従って、本願請求項４記載の電話交換装置によれば、本願請求項３記載の効果に加えて、複数の内線番号の内、任意の内線番号のボタン着信に関わる不応答着信履歴情報を表示可能にする前記ボタン電話機のグループを着信履歴グループとして管理しておき、前記不応答着信履歴情報記憶手段に記憶中の不応答着信履歴情報に関わる内線番号に対応した着信履歴グループを検索し、この着信履歴グループに属する全ボタン電話機に対して同不応答着信履歴情報を表示可能にしたので、ボタン電話機側のユーザは、自分の属する着信履歴グループ内の同ボタン着信に関わる不応答着信履歴情報を認識することができる。
【００１６】
また、本願請求項５記載の電話交換装置は、本願請求項３記載の構成において、前記表示制御手段が、前記不応答着信履歴情報記憶手段に前記不応答着信履歴情報が記憶中の場合、同不応答着信履歴情報の内線番号に対応する前記着信応答ボタンを備えた前記ボタン電話機に同不応答のボタン着信の発生を識別表示させるべく、同ボタン電話機を表示制御するようにした。
【００１７】
従って、本願請求項５記載の電話交換装置によれば、本願請求項３記載の効果に加えて、前記不応答着信履歴情報記憶手段に前記不応答着信履歴情報が記憶中の場合、同不応答着信履歴情報の内線番号に対応する前記着信応答ボタンを備えた前記ボタン電話機に同不応答のボタン着信の発生を識別表示させるようにしたので、ボタン電話機側のユーザは、識別表示を見て、自分のボタン電話機が着信応答可能な内線番号に関わる不応答のボタン着信の発生を認識することができる。
【００１８】
また、本願請求項６記載の電話交換装置は、本願請求項４記載の構成において、前記表示制御手段が、前記不応答着信履歴情報記憶手段に前記不応答着信履歴情報が記憶中の場合、同不応答着信履歴情報の内線番号に対応した着信履歴グループを前記着信履歴グループ管理手段から検索し、この着信履歴グループに属する全ボタン電話機に対して同不応答のボタン着信の発生を識別表示させるべく、同ボタン電話機を表示制御するようにした。
【００１９】
従って、本願請求項６記載の電話交換装置によれば、本願請求項４記載の効果に加えて、前記不応答着信履歴情報記憶手段に前記不応答着信履歴情報が記憶中の場合、同不応答着信履歴情報の内線番号に対応した着信履歴グループを検索し、この着信履歴グループに属する全ボタン電話機に対して同不応答のボタン着信の発生を識別表示させるので、ボタン電話機側のユーザは、識別表示を見て、自分の属する着信履歴グループ内で不応答のボタン着信の発生を認識することができる。
【００２０】
また、本願請求項７記載の電話交換装置は、本願請求項４又は６記載の構成において、前記ボタン電話機の複数のボタンの内、任意のボタンに、前記不応答着信履歴情報を前記表示手段に表示する履歴表示機能を割り当て、同ボタンを履歴表示ボタンとして構成するボタン割当手段を有し、前記表示制御手段が、前記ボタン電話機側の前記履歴表示ボタンのボタン操作を検出すると、前記不応答着信履歴情報記憶手段に記憶中の同ボタン電話機が属する着信履歴グループに関わる不応答着信履歴情報を同ボタン電話機の表示手段に表示させるようにした。
【００２１】
従って、本願請求項７記載の電話交換装置によれば、本願請求項４又は６記載の効果に加えて、前記ボタン電話機の複数のボタンの内、任意のボタンに履歴表示機能を割り当て、同ボタンを履歴表示ボタンとして構成し、前記ボタン電話機側の前記履歴表示ボタンのボタン操作を検出すると、前記不応答着信履歴情報記憶手段に記憶中の同ボタン電話機が属する着信履歴グループに関わる不応答着信履歴情報を同ボタン電話機の表示手段に表示させるようにしたので、ボタン電話機側のユーザは、履歴表示ボタンのボタン操作に応じて同ボタン電話機が属する着信履歴グループに関わる不応答着信履歴情報を表示画面上で認識することができる。
【００２４】
また、本願請求項８記載の電話交換装置は、本願請求項７記載の構成において、前記表示制御手段が、前記パスワード照合手段にて前記入力パスワード及び前記認証パスワードが合致した場合に、前記不応答着信履歴情報記憶手段に記憶中の同ボタン電話機が属する着信履歴グループに関わる不応答着信履歴情報を同ボタン電話機の表示手段に表示させるようにした。
【００２５】
従って、本願請求項８記載の電話交換装置によれば、本願請求項７記載の効果に加えて、前記ボタン電話機側の前記履歴表示ボタンのボタン操作を検出すると、同ボタン電話機からの入力パスワードと、前記認証パスワード管理手段に管理中の同ボタン電話機の着信履歴グループの認証パスワードとを照合し、これら入力パスワード及び認証パスワードが合致した場合に、前記不応答着信履歴情報記憶手段に記憶中の同ボタン電話機が属する着信履歴グループに関わる不応答着信履歴情報を同ボタン電話機の表示手段に表示させるようにしたので、着信履歴グループ内の不応答着信履歴情報に関わる第三者の不正アクセスを確実に防止することができる。
【発明の効果】
【００２６】
上記のように構成された本発明の電話交換装置によれば、ボタン着信を検出した場合、同ボタン着信に関わる着信履歴情報を作成し、この作成したボタン着信に関わる着信履歴情報を着信履歴情報記憶手段に記憶し、この記憶中のボタン着信に関わる着信履歴情報を前記ボタン電話機の表示手段に表示可能にしたので、ボタン電話機のユーザは、表示手段に表示中のボタン着信に関わる着信履歴情報を見て、同ボタン着信に関わる着信履歴情報を認識することができる。
【発明を実施するための最良の形態】
【００２７】
以下、図面に基づいて本発明の実施の形態を示す電話交換装置について説明する。図１は本実施の形態を示す電話交換装置内部の概略構成を示すブロック図である。
【００２８】
図１に示す電話交換装置１は、ＩＳＤＮ網２との通信インタフェースを司るＩＳＤＮ通信インタフェース（ＩＴＣ）３と、複数のＭＦＴ４を収容接続する複数のＭＴＬＩＮ５と、ＩＴＣ３及びＭＴＬＩＮ５間で通話路を形成する通話路スイッチ（ＴＳＷ）６と、局データや局プログラム等の各種情報を記憶管理する記憶装置（ＭＭ）７と、電話交換装置１全体を制御する制御装置（ＣＣ）８とを有している。
【００２９】
ＭＴＬＩＮ５は、複数のＭＴＬＩＮ回路５Ａを収容し、同ＭＴＬＩＮ回路５Ａにて複数のＭＦＴ４を収容接続すると共に、同ＭＴＬＩＮ回路５Ａ毎に内線番号が付与されているものである。
【００３０】
ＭＦＴ４は、図示せぬハンドセット及びダイヤルボタンの他に、複数の機能ボタン１１と、様々な情報を表示するＬＣＤ表示部１２と、機能ボタン１１毎に機能内容に対応した各種情報を識別表示するＬＥＤ１３とを備え、複数の機能ボタン１１は、例えば内線番号毎に備え、同内線番号の外線着信に応答可能な着信応答ボタン１１Ａと、後述するボタン着信のボタン着信履歴情報をＬＣＤ表示部１２に対して表示可能にする履歴表示ボタン１１Ｂとを備えている。
【００３１】
着信応答ボタン１１Ａは、ＭＴＬＩＮ回路５Ａの内線番号毎に割り当てられ、同内線番号への外線着信、すなわちボタン着信に応答可能にするものである。尚、着信応答ボタン１１ＡのＬＥＤ１３は、同着信応答ボタン１１Ａに対応する内線番号への外線着信を検出すると、緑色点滅するものである。
【００３２】
履歴表示ボタン１１Ｂは、同履歴表示ボタン１１Ｂのボタン操作に応じて、同履歴表示ボタン１１ＢのＭＦＴ４が属する、後述する着信履歴グループと同一グループ内の内線番号に関わるボタン着信履歴情報や不応答着信履歴情報を同ＭＦＴ４のＬＣＤ表示部１２に表示するものである。
【００３３】
図２は電話交換装置１内部の要部であるＭＭ７及びＣＣ８内部の概略構成を示すブロック図である。
【００３４】
図２に示すＭＭ７は、各ＭＦＴ４の機能ボタン１１及びＬＥＤ１３を管理制御するためのボタン管理テーブル２１と、着信履歴グループを管理する着信履歴グループ管理テーブル２２と、内線番号へのボタン着信に関わるボタン着信履歴情報を記憶管理するボタン着信履歴記憶部２３と、内線番号へのボタン着信の内、不応答のボタン着信に関わる不応答着信履歴情報を記憶管理する不応答着信履歴記憶部２４とを有している。
【００３５】
ボタン管理テーブル２１は、図３に示すように、各ＭＦＴ４を識別する端末番号２１Ａ毎に、各機能ボタン１１を識別するボタン番号２１Ｂ及び、同機能ボタン１１に対応するＬＥＤ１３を識別するＬＥＤ番号２１Ｄを管理し、ボタン番号２１Ｂ毎に、同機能ボタン１１に割り当てる機能内容を示す機能割当内容２１Ｃを管理し、例えば端末番号“０１”のＭＦＴ４のボタン番号“Ｂ１”には内線番号“１０００”（回線１）のボタン着信に応答する着信応答ボタン１１Ａとして機能するボタン着信応答機能、ボタン番号“Ｂ２”には内線番号“１００１”（回線２）のボタン着信に応答する着信応答ボタン１１Ａとして機能するボタン着信応答機能、ボタン番号“Ｂｎ”には履歴表示ボタン１１Ｂとして機能する履歴表示機能を管理していることになる。
【００３６】
また、着信履歴グループ管理テーブル２２は、図４に示すように、複数の内線番号の内、任意の内線番号のボタン着信に関わる着信履歴情報を表示可能にするＭＦＴ４のグループを着信履歴グループとし、この着信履歴グループを識別するグループ番号２２Ａ毎に、同グループの着信履歴管理対象の内線番号２２Ｂと、同グループに属するＭＦＴ４を識別する端末番号２２Ｃと、同グループのボタン着信履歴情報の表示提供を受けるための認証パスワード２２Ｄとを管理し、例えば着信履歴グループ“００１”は、着信履歴管理対象の内線番号を“１０００”及び“１００１”、同グループに属するＭＦＴ４の端末番号を“０１”及び“０２”、同グループの表示提供の認証パスワードを“ＡＢＣＤ”、また、着信履歴グループ“００２”は、着信履歴管理対象の内線番号を“１０００”、“１００１”、“２００１”及び“２００２”、同グループに属するＭＦＴ４の端末番号を“０３”及び“０８”、同グループの表示提供の認証パスワードを“ＢＢＢＢ”を管理していることになる。
【００３７】
すなわち、“０１”及び“０２”のＭＦＴ４は、着信履歴グループ“００１”に属し、内線番号“１０００”及び“１００１”のボタン着信に関わる着信履歴情報を表示可能にしたものである。また、同様に、“０３”及び“０８”のＭＦＴ４は、着信履歴グループ“００２”に属し、内線番号“１０００”、“１００１”、“２００１”及び“２００２”のボタン着信に関わる着信履歴情報を表示可能にしたものである。
【００３８】
また、ボタン着信履歴記憶部２３に記憶するボタン着信履歴情報及び不応答着信履歴記憶部２４に記憶する不応答着信履歴情報は、図５に示すように、ボタン着信に関わる発生日時を示す着信日時３１Ａ、ボタン着信の着信先を内線番号を示す着信先内線番号３１Ｂ、ボタン着信の発信先を示す発信者番号３１Ｃ、ボタン着信の発信者を示す発信者名称３１Ｄ、ボタン着信の“応答”又は“不応答”の種別を示す履歴種別３１Ｅ、同ボタン着信の内線番号の着信履歴グループを識別するグループ番号３１Ｆを含み、ボタン着信履歴情報の履歴種別３１Ｅは応答又は不応答の何れかであるが、不応答着信履歴情報の履歴種別３１Ｅは不応答の場合にのみ限定している。
【００３９】
また、図２に示すＣＣ８は、ＴＳＷ６を通じてＭＴＬＩＮ５及びＩＴＣ３間の通信を制御する通信制御部４１と、ＭＴＬＩＮ５を通じて各ＭＦＴ４との制御インタフェースを司るＭＦＴ端末インタフェース４２と、ＭＭ７を記憶制御する記憶制御部４３と、ＣＣ８全体を制御する制御部４４とを有している。
【００４０】
ＭＦＴ端末インタフェース４２は、ボタン管理テーブル２１のテーブル内容に基づき、ＭＴＬＩＮ５を通じて各ＭＦＴ４のボタンを管理制御するボタン制御部４２Ａと、同ＭＦＴ４のボタンに内蔵したＬＥＤ１３やＬＣＤ表示部１２を表示制御する表示制御部４２Ｂとを有している。
【００４１】
制御部４４は、通信制御部４１を通じて外線着信を検出すると、同外線着信が内線番号へのボタン着信であるか否かを判定するボタン着信判定部４４Ａと、このボタン着信判定部４４Ａにて同外線着信がボタン着信の場合、同ボタン着信の不応答を検出したか否かを判定する不応答検出判定部４４Ｂと、不応答検出判定部４４Ｂの判定結果に基づき、同ボタン着信に関わるボタン着信履歴情報を作成するボタン着信履歴情報作成部４４Ｃと、着信履歴グループ内のボタン着信履歴情報や不応答着信履歴情報の表示提供を受けるための認証パスワードを照合するパスワード照合部４４Ｄと、ＭＦＴ４側の複数の機能ボタン１１の内、任意の機能ボタン１１に各種機能を割り当てるべく、ボタン管理テーブル２１のテーブル内容を書換制御するボタン割当部４４Ｅとを有している。
【００４２】
ボタン着信履歴情報作成部４４Ｃは、ボタン着信の着信日時、着信先内線番号、発信者番号、発信者名称、履歴種別及び履歴グループ番号を含むボタン着信履歴情報（図６参照）を作成し、不応答検出判定部４４Ｂにてボタン着信の不応答を検出しなかった場合、すなわちボタン着信の応答を検出した場合、同ボタン着信履歴情報内の履歴種別を“応答”に設定し、記憶制御部４３を通じて、このボタン着信履歴情報をボタン着信履歴記憶部２３に記憶するものである。
【００４３】
また、ボタン着信履歴情報作成部４４Ｃは、不応答検出判定部４４Ｂにてボタン着信の不応答を検出した場合、同ボタン着信履歴情報内の履歴種別を“不応答”に設定し、記憶制御部４３を通じて、同ボタン着信履歴情報を不応答着信履歴情報として不応答着信履歴記憶部２４に記憶すると共に、同ボタン着信履歴情報をボタン着信履歴記憶部２３に記憶するものである。
【００４４】
尚、記憶制御部４３では、デフォルト設定でボタン着信履歴記憶設定フラグがＯＮ中のため、ボタン着信履歴情報作成部４４Ｃにて作成したボタン着信履歴情報又は不応答着信履歴情報をボタン着信履歴記憶部２３又は不応答着信履歴記憶部２４に記憶するようにしたが、ボタン着信履歴記憶設定フラグがＯＦＦ中の場合、ボタン着信履歴情報作成部４４Ｃにてボタン着信履歴情報又は不応答着信履歴情報を作成したとしても、同ボタン着信履歴情報又は不応答着信履歴情報をボタン着信履歴記憶部２３又は不応答着信履歴記憶部２４への記憶を禁止するものである。
【００４５】
また、パスワード照合部４４Ｄは、ＭＦＴ４が所属する着信履歴グループ内のボタン着信履歴情報又は不応答着信履歴情報の表示提供を要求する同ＭＦＴ４側の履歴表示ボタン１１Ｂのボタン操作を検出すると、ＭＦＴ４に対して同着信履歴グループの認証パスワードを要求し、同パスワード入力を検出すると、同着信履歴グループに対応した認証パスワードを着信履歴グループ管理テーブル２２から読み出し、この読み出した同着信履歴グループの認証パスワードと入力パスワードとを照合し、これら認証パスワード及び入力パスワードが合致した場合にのみ、同ＭＦＴ４に対して同着信履歴グループ内のボタン着信履歴情報又は不応答着信履歴情報をＬＣＤ表示部１２に画面表示可能にするものである。
【００４６】
また、パスワード照合部４４Ｄは、同着信履歴グループの認証パスワード及び入力パスワードが合致しなかった場合、同ＭＦＴ４のＬＣＤ表示部１２にエラー表示し、同ＭＦＴ４に対して同着信履歴グループ内のボタン着信履歴情報及び不応答着信履歴情報の表示を禁止するものである。
【００４７】
尚、パスワード照合部４４Ｄは、デフォルトでパスワード要求設定フラグがＯＮ中のため、ＭＦＴ４側の履歴表示ボタン１１Ｂのボタン操作を検出すると、同ＭＦＴ４の着信履歴グループに対応したパスワード入力を要求するものであるが、パスワード要求設定フラグがＯＦＦ中の場合、パスワード入力を要求することなく、ＭＦＴ４側の履歴表示ボタン１１Ｂのボタン操作を検出すると、同ＭＦＴ４の着信履歴グループ内のボタン着信履歴情報又は不応答着信履歴情報の表示を許可するものである。
【００４８】
ボタン割当部４４Ｅは、ＭＦＴ４側の操作に応じて、ＭＦＴ４の複数の機能ボタン１１の内、任意の機能ボタン１１に所定機能内容を割り当てるように、記憶制御部４３を通じて、ボタン管理テーブル２１のテーブル内容を書換制御するものである。
【００４９】
尚、請求項記載の電話交換装置は電話交換装置１、ボタン電話機はＭＦＴ４、内線回路はＭＴＬＩＮ回路５Ａ、着信応答ボタンは着信応答ボタン１１Ａ、ボタン着信検出判定手段はボタン着信判定部４４Ａと、着信履歴情報作成手段はボタン着信履歴情報作成部４４Ｃ、着信履歴情報記憶手段はボタン着信履歴記憶部２３、表示手段はＬＣＤ表示部１２、表示制御手段は制御部４４及び表示制御部４２Ｂ、着信履歴グループ管理手段は着信履歴グループ管理テーブル２２、不応答検出判定手段は不応答検出判定部４４Ｂ、不応答着信履歴情報記憶手段は不応答着信履歴記憶部２４、ボタン割当手段はボタン割当部４４Ｅ、履歴表示ボタンは履歴表示ボタン１１Ｂ、認証パスワード管理手段は着信履歴グループ管理テーブル２２、パスワード照合手段はパスワード照合部４４Ｄに相当するものである。
【００５０】
次に本実施の形態を示す電話交換装置１の動作について説明する。図７は電話交換装置１の着信検出処理に関わるＣＣ８内部の処理動作を示すフローチャートである。
【００５１】
図７に示す着信検出処理は、外線着信の内、ボタン着信を検出した場合に、同ボタン着信のボタン着信履歴に関わるボタン着信履歴情報及び不応答着信履歴情報を記憶するための処理である。
【００５２】
図７においてＣＣ８の制御部４４は、通信制御部４１を通じて外線着信を検出すると、ボタン着信判定部４４Ａを通じて同外線着信がボタン着信であるか否かを判定する（ステップＳ１１）。
【００５３】
制御部４４は、外線着信がボタン着信の場合、ボタン着信履歴情報作成部４４Ｃを通じて同ボタン着信に関わる着信日時、着信先内線番号、発信者番号、発信者名称、履歴種別及びグループ番号を含むボタン着信履歴情報を作成し（ステップＳ１２）、このボタン着信履歴情報を一時的に保持する（ステップＳ１３）。
【００５４】
制御部４４は、ボタン着信に関わるボタン着信履歴情報を一時的に保持すると、不応答検出判定部４４Ｂを通じて同ボタン着信の不応答を検出したか否かを判定する（ステップＳ１４）。
【００５５】
制御部４４は、同ボタン着信の不応答を検出した場合、ボタン着信履歴情報作成部４４Ｃを通じて保持中の同ボタン着信に関わるボタン着信履歴情報内の履歴種別を“不応答”に設定し（ステップＳ１５）、通信制御部４１を通じて、同ボタン着信の回線切断が完了するまで、回線切断が完了したか否かを継続判定する（ステップＳ１６）。
【００５６】
制御部４４は、同ボタン着信の回線切断が完了した場合、記憶制御部４３を通じて着信履歴記憶設定フラグがＯＮであるか否かを判定する（ステップＳ１７）。尚、着信履歴記憶設定フラグはデフォルト状態でＯＮ設定である。
【００５７】
制御部４４は、着信履歴記憶設定フラグがＯＮの場合、同ボタン着信に関わるボタン着信履歴情報内の履歴種別が“不応答”であるか否かを判定する（ステップＳ１８）。
【００５８】
制御部４４は、同ボタン着信に関わるボタン着信履歴情報内の履歴種別が“不応答”の場合、記憶制御部４３を通じて、同ボタン着信履歴情報を不応答着信履歴情報として不応答着信履歴記憶部２４に記憶する（ステップＳ１９）。
【００５９】
制御部４４は、同不応答着信履歴記憶部２４に不応答着信履歴情報を記憶すると、不応答着信履歴表示要求を設定し（ステップＳ２０）、記憶制御部４３を通じて、同ボタン着信履歴情報をボタン着信履歴記憶部２３に記憶し（ステップＳ２１）、この処理動作を終了する。
【００６０】
また、制御部４４は、ステップＳ１１にて外線着信がボタン着信ではない、すなわち端末着信の場合、通常の端末着信処理を実行し（ステップＳ２２）、この処理動作を終了する。
【００６１】
また、制御部４４は、ステップＳ１４にてボタン着信が“不応答”ではない、すなわち“応答”と判断し、ステップＳ１３にて保持中のボタン着信履歴情報内の履歴種別を“応答”に設定し（ステップＳ２３）、同ボタン着信の回線切断が完了したか否かを判定すべく、ステップＳ１６に移行する。
【００６２】
また、制御部４４は、ステップＳ１７にて着信履歴記憶設定フラグがＯＮでない、すなわちＯＦＦの場合、同ボタン着信に関わるボタン着信履歴情報を記憶することなく、この処理動作を終了する。
【００６３】
また、制御部４４は、ステップＳ１８にて同ボタン着信に関わるボタン着信履歴情報内の履歴種別が“不応答”でない、すなわち“応答”の場合、記憶制御部４３を通じて同ボタン着信履歴情報をボタン着信履歴記憶部２３に記憶すべく、ステップＳ２１に移行する。
【００６４】
図７に示す着信検出処理によれば、ボタン着信を検出すると、同ボタン着信に関わるボタン着信履歴情報を作成し、同ボタン着信に対して応答した場合、同ボタン着信履歴情報をボタン着信履歴記憶部２３に記憶すると共に、同ボタン着信に対して不応答の場合、同ボタン着信履歴情報をボタン着信履歴情報に記憶し、さらに、同ボタン着信履歴情報を不応答着信履歴情報として不応答着信履歴記憶部２４に記憶するようにしたので、ボタン着信を検出した場合、同ボタン着信に対して応答又は不応答を問わず、ボタン着信に関わるボタン着信履歴情報を全て記憶することができる。
【００６５】
図８は電話交換装置１の不応答着信履歴識別表示処理に関わるＣＣ８内部の処理動作を示すフローチャートである。
【００６６】
図８に示す不応答着信履歴識別表示処理は、図７に示す着信検出処理のステップＳ２０にて不応答着信履歴表示要求が設定済みの場合、同不応答着信履歴記憶部２４に記憶中の不応答着信履歴情報の着信履歴グループに属する全ＭＦＴ４の履歴表示ボタン１１ＢのＬＥＤ１３に識別表示する処理である。
【００６７】
図８においてＣＣ８内部の制御部４４は、不応答着信応答表示要求が設定済みであるか否かを判定する（ステップＳ３１）。尚、不応答着信応答表示要求の設定は、図７に示す着信検出処理のステップＳ２０にて行われる処理である。
【００６８】
制御部４４は、不応答着信応答表示要求が設定済みの場合、記憶制御部４３を通じて不応答着信履歴記憶部２４に記憶中の不応答着信履歴情報内の着信履歴グループに対応したグループ番号を抽出し（ステップＳ３２）、このグループ番号に対応した着信履歴グループ内の不応答着信履歴情報が不応答着信履歴記憶部２４内にあるか否かを判定する（ステップＳ３３）。
【００６９】
制御部４４は、着信履歴グループ内の不応答着信履歴情報が不応答着信履歴記憶部２４内にある場合、図４に示す着信履歴グループ管理テーブル２２のテーブル内容を参照して同着信履歴グループ内の全ＭＦＴ４の端末番号を抽出し、図３に示すボタン管理テーブル２１のテーブル内容を参照して、表示制御部４２Ｂを通じて、同着信履歴グループ内の全ＭＦＴ４の履歴表示ボタン１１Ｂに対応したＬＥＤ１３を赤色点滅するように表示制御することで（ステップＳ３４）、この処理動作を終了する。尚、ＭＦＴ４のユーザは、同ＭＦＴ４の履歴表示ボタン１１Ｂに対応する赤色点滅中のＬＥＤ１３を目視することで、同着信履歴グループ内で不応答のボタン着信を発生したことを認識することができる。
【００７０】
また、制御部４４は、ステップＳ３１にて不応答着信履歴表示要求が設定済みでない場合、又はステップＳ３３にて同着信履歴グループ内の不応答着信履歴情報がない場合、この不応答着信履歴識別表示処理に関わる処理動作を終了する。
【００７１】
尚、制御部４４は、ステップＳ３４にて同着信履歴グループ内の全ＭＦＴ４の履歴表示ボタン１１Ｂに対応するＬＥＤ１３の赤色点滅中に、ボタン制御部４２Ａを通じて解除操作を検出すると、同不応答着信履歴表示要求の設定を解除し、表示制御部４２Ｂを通じて赤色点滅中のＬＥＤ１３を消灯するようにしても良い。
【００７２】
図８に示す不応答着信履歴識別表示処理によれば、不応答着信履歴表示要求が設定済みの場合、同不応答着信履歴記憶部２４に記憶中の不応答着信履歴情報が属する着信履歴グループ内の全ＭＦＴ４の履歴表示ボタン１１Ｂに対応するＬＥＤ１３を赤色点滅するようにしたので、ＭＦＴ４側のユーザは、確認操作を実行することなく、自動的に履歴表示ボタン１１Ｂの赤色点滅中のＬＥＤ１３を見て、同一着信履歴グループ内に不応答のボタン着信が発生したことを認識することができる。
【００７３】
図９は電話交換装置１のボタン着信履歴表示処理に関わるＣＣ８内部の処理動作を示すフローチャートである。
【００７４】
図９に示すボタン着信履歴表示処理は、ＭＦＴ４の履歴表示ボタン１１Ｂのボタン操作に応じて同ＭＦＴ４のＬＣＤ表示部１２上に表示対象の着信履歴グループ内のボタン着信履歴情報や不応答着信履歴情報を表示可能にした処理である。
【００７５】
図９においてＣＣ８内部の制御部４４は、ボタン制御部４２Ａを通じてＭＦＴ４側の履歴表示ボタン１１Ｂのボタン操作を検出したか否かを判定する（ステップＳ４１）。
【００７６】
制御部４４は、ＭＦＴ４側の履歴表示ボタン１１Ｂのボタン操作を検出した場合、表示対象の着信履歴グループの認証パスワードを要求するパスワード要求設定フラグがＯＮであるか否かを判定する（ステップＳ４２）。
【００７７】
制御部４４は、パスワード要求設定フラグがＯＮの場合、ボタン制御部４２Ａを通じてＭＦＴ４側の入力パスワードを検出し（ステップＳ４３）、パスワード照合部４４Ｄを通じて着信履歴グループ管理テーブル２２のテーブル内容に基づき、同着信履歴グループに対応する認証パスワードを読み出し、この認証パスワード及び入力パスワードを照合し（ステップＳ４４）、同着信履歴グループの認証パスワード及び入力パスワードが合致したか否かを判定する（ステップＳ４５）。
【００７８】
制御部４４は、同着信履歴グループの認証パスワード及び入力パスワードが合致した場合、記憶制御部４３を通じて、表示対象の着信履歴グループに対応した不応答着信履歴情報が不応答着信履歴記憶部２４内にあるか否かを判定する（ステップＳ４６）。
【００７９】
制御部４４は、表示対象の着信履歴グループに対応した不応答着信履歴情報が不応答着信履歴記憶部２４内にある場合、同着信履歴グループ内の不応答着信履歴情報をＭＦＴ４のＬＣＤ表示部１２に画面表示すべく、図１０に示すグループ内不応答着信履歴表示処理に移行し（ステップＳ４７）、このボタン着信履歴表示処理に関わる処理動作を終了する。
【００８０】
また、制御部４４は、ステップＳ４１にて履歴表示ボタン１１Ｂのボタン操作を検出しなかった場合、この処理動作を終了する。
【００８１】
また、制御部４４は、ステップＳ４２にて表示対象の着信履歴グループのパスワード要求設定フラグがＯＮでない、すなわちＯＦＦの場合、パスワード認証動作を行うことなく、表示対象の着信履歴グループ内の不応答着信履歴情報が不応答着信履歴記憶部２４内にあるか否かを判定すべく、ステップＳ４６に移行する。
【００８２】
また、制御部４４は、ステップＳ４５にて着信履歴グループの認証パスワード及び入力パスワードが合致しなかった場合、表示制御部４２Ｂを通じて履歴表示ボタン１１Ｂのボタン操作を実行したＭＦＴ４のＬＣＤ表示部１２にエラー表示し（ステップＳ４８）、この処理動作を終了する。尚、ＭＦＴ４側のユーザは、エラー表示でＭＦＴ４側のパスワード不一致を認識することができる。
【００８３】
また、制御部４４は、ステップＳ４６にて表示対象の着信履歴グループ内の不応答着信履歴情報が不応答着信履歴記憶部２４内にない場合、記憶制御部４３を通じて、表示対象の着信履歴グループ内のボタン着信履歴情報がボタン着信履歴記憶部２３内にあるか否かを判定する（ステップＳ４９）。
【００８４】
制御部４４は、表示対象の着信履歴グループ内のボタン着信履歴情報がボタン着信履歴記憶部２３内にある場合、同着信履歴グループ内のボタン着信履歴情報をＭＦＴ４のＬＣＤ表示部１２に画面表示すべく、図１１に示すグループ内ボタン着信履歴表示処理に移行し（ステップＳ５０）、このボタン着信履歴表示処理に関わる処理動作を終了する。
【００８５】
制御部４４は、ステップＳ４９にて表示対象の着信履歴グループ内のボタン着信履歴情報がボタン着信履歴記憶部２３内にない場合、表示対象の着信履歴グループ内のボタン着信履歴情報なし表示を、表示制御部４２Ｂを通じて、同履歴表示ボタン１１Ｂのボタン操作を実行したＭＦＴ４のＬＣＤ表示部１２に表示し（ステップＳ５１）、このボタン着信履歴表示処理に関わる処理動作を終了する。尚、ＭＦＴ４側のユーザは、ボタン着信履歴なし表示で同グループ内のボタン着信に関わるボタン着信履歴情報がないことを認識することができる。
【００８６】
図９に示すボタン着信履歴表示処理によれば、ＭＦＴ４側の履歴表示ボタン１１Ｂのボタン操作を検出して同表示対象の着信履歴グループのパスワード認証が完了した場合、同着信履歴グループ内の不応答着信履歴情報がある場合、同着信履歴グループ内の不応答着信履歴情報を同ＭＦＴ４のＬＣＤ表示部１２に表示するグループ内不応答着信履歴表示処理を実行すると共に、同着信履歴グループ内のボタン着信履歴情報がある場合、同着信履歴グループ内のボタン着信履歴情報を同ＭＦＴ４のＬＣＤ表示部１２に表示するグループ内ボタン着信履歴表示処理を実行するようにしたので、ＭＦＴ４側のユーザは、履歴表示ボタン１１Ｂのボタン操作に応じて同着信履歴グループ内の不応答着信履歴情報及びボタン着信履歴情報を認識することができる。
【００８７】
また、図９に示すボタン着信履歴表示処理によれば、ＭＦＴ４側の履歴表示ボタン１１Ｂのボタン操作を検出して同表示対象の着信履歴グループのパスワード認証が不一致の場合、同表示対象の着信履歴グループ内のボタン着信履歴情報や不応答着信履歴情報の表示提供を禁止するようにしたので、同着信履歴グループ内のボタン着信履歴情報や不応答着信履歴情報に関わる第三者の不正アクセスを確実に防止することができる。
【００８８】
図１０は電話交換装置１のグループ内不応答着信履歴表示処理に関わるＣＣ８内部の処理動作を示すフローチャートである。
【００８９】
図１０に示すグループ内不応答着信履歴表示処理は、ＭＦＴ４側の要求操作（履歴表示ボタン１１Ｂのボタン操作）に応じて、着信履歴グループ内の全ての不応答着信履歴情報を同ＭＦＴ４のＬＣＤ表示部１２に表示可能にする処理である。
【００９０】
図１０においてＣＣ８内部の制御部４４は、図９に示すステップＳ４７で起動を開始し、記憶制御部４３を通じて表示対象の着信履歴グループ内の不応答着信履歴情報の内、着信日時が最新の不応答着信履歴情報を不応答着信履歴記憶部２４から読み出し、表示制御部４２Ｂを通じて同最新の不応答着信履歴情報（図６参照）をＭＦＴ４側のＬＣＤ表示部１２に表示する（ステップＳ６１）。尚、ＬＣＤ表示部１２は、図６に示すように、着信日時３２Ａ、発信者番号３２Ｃ、発信者名称３２Ｄ、履歴種別３２Ｅ及びグループ番号３２Ｆを含む不応答着信履歴情報を画面表示するものである。
【００９１】
制御部４４は、不応答着信履歴情報をＭＦＴ４側のＬＣＤ表示部１２に表示すると、ボタン制御部４２Ａを通じて、同ＬＣＤ表示部１２に表示中の不応答着信履歴情報の発信者番号宛に履歴発信すべく、同ＭＦＴ４のオフフック操作を検出したか否かを判定する（ステップＳ６２）。
【００９２】
制御部４４は、ＭＦＴ４側のオフフック操作を検出しなかった場合、ボタン制御部４２Ａを通じて、同ＬＣＤ表示部１２に表示中の不応答着信履歴情報を削除すべく、同ＭＦＴ４側の削除指定操作を検出したか否かを判定する（ステップＳ６３）。
【００９３】
制御部４４は、ＭＦＴ４側の削除指定操作を検出しなかった場合、ボタン制御部４２Ａを通じて、次の不応答着信履歴情報をＬＣＤ表示部１２に表示させるべく、ＭＦＴ４側の不応答着信履歴情報指定操作を検出したか否かを判定する（ステップＳ６４）。
【００９４】
制御部４４は、ＭＦＴ４側の不応答着信履歴情報指定操作を検出しなかった場合、ボタン制御部４２Ａを通じて、同着信履歴グループ内のボタン着信履歴情報をＬＣＤ表示部１２に表示させるべく、ＭＦＴ４側のボタン着信履歴表示指定操作を検出したか否かを判定する（ステップＳ６５）。
【００９５】
制御部４４は、ＭＦＴ４側のボタン着信履歴表示指定操作を検出しなかった場合、ボタン制御部４２Ａを通じて、同グループ内不応答着信履歴表示処理に関わる処理動作を終了すべく、ＭＦＴ４側の表示終了指示操作を検出したか否かを判定する（ステップＳ６６）。
【００９６】
制御部４４は、ＭＦＴ４側の表示終了指示操作を検出した場合、このグループ内不応答着信履歴表示処理に関わる処理動作を終了する。
【００９７】
また、制御部４４は、ステップＳ６６にてＭＦＴ４側の表示終了指示操作を検出しなかった場合、オフフック操作を検出したか否かを判定すべく、ステップＳ６２に移行する。
【００９８】
また、制御部４４は、ステップＳ６２にてＭＦＴ４側のオフフック操作を検出した場合、通信制御部４１を通じて、同ＭＦＴ４のＬＣＤ表示部１２に表示中の不応答着信履歴情報の発信者番号に基づく履歴発信処理を実行し（ステップＳ６７）、このグループ内不応答着信履歴表示処理に関わる処理動作を終了する。
【００９９】
また、制御部４４は、ステップＳ６３にてＭＦＴ４側の削除指定操作を検出した場合、記憶制御部４３を通じて、同ＭＦＴ４のＬＣＤ表示部１２に表示中の不応答着信履歴情報を不応答着信履歴記憶部２４から削除し（ステップＳ６８）、表示制御部４２Ｂを通じて、同ＭＦＴ４のＬＣＤ表示部１２に削除完了を表示させ（ステップＳ６９）、記憶制御部４３を通じて、不応答着信履歴記憶部２４内に同着信履歴グループ内の次の不応答着信履歴情報があるか否かを判定する（ステップＳ７０）。尚、ユーザは、削除完了表示で、同着信履歴グループ内の不応答着信履歴情報の削除完了を認識することができる。
【０１００】
制御部４４は、不応答着信履歴記憶部２４内に同着信履歴グループ内の次の不応答着信履歴情報がある場合、記憶制御部４３を通じて同不応答着信履歴情報を不応答着信履歴記憶部２４から読み出し、この読み出した不応答着信履歴情報を、表示制御部４２Ｂを通じて同ＭＦＴ４側のＬＣＤ表示部１２に表示させ（ステップＳ７１）、同ＭＦＴ４側のオフフック操作を検出したか否かを判定すべく、図１０中のＭ１に移行する。
【０１０１】
また、制御部４４は、ステップＳ７０にて不応答着信履歴記憶部２４内に同着信履歴グループ内の次の不応答着信履歴情報がない場合、ＭＦＴ４側のボタン着信履歴表示指定操作を監視する操作監視タイマをスタートし（ステップＳ７２）、ボタン制御部４２Ａを通じて同ＭＦＴ４側のボタン着信履歴表示指定操作を検出したか否かを判定する（ステップＳ７３）。
【０１０２】
制御部４４は、同ＭＦＴ４側のボタン着信履歴表示指定操作を検出した場合、表示対象の着信履歴グループ内のボタン着信履歴情報がボタン着信履歴記憶部２３内にあるか否かを判定すべく、図９に示すＭ２に移行する。
【０１０３】
また、制御部４４は、ステップＳ７３にて同ＭＦＴ４側のボタン着信履歴表示指定操作を検出しなかった場合、ステップＳ７２にて計時動作を開始した操作監視タイマがタイムアップしたか否かを判定する（ステップＳ７４）。
【０１０４】
また、制御部４４は、操作監視タイマがタイムアップした場合、このグループ内不応答着信履歴表示処理に関わる処理動作を終了する。
【０１０５】
また、制御部４４は、ステップＳ７４にて操作監視タイマがタイムアップしなかった場合、ボタン制御部４２Ａを通じてボタン着信履歴表示指定操作を検出したか否かを監視すべく、ステップＳ７３に移行する。
【０１０６】
また、制御部４４は、ステップＳ６４にてＭＦＴ４側の不応答着信履歴情報指定操作を検出した場合、不応答着信履歴記憶部２４内に同着信履歴グループ内の次の不応答着信履歴情報があるか否かを判定すべく、ステップＳ７０に移行する。
【０１０７】
また、制御部４４は、ステップＳ６５にてＭＦＴ４側のボタン着信履歴表示指定操作を検出した場合、表示対象の着信履歴グループ内のボタン着信履歴情報がボタン着信履歴記憶部２３内にあるか否かを判定すべく、図９に示すＭ２に移行する。
【０１０８】
また、制御部４４は、ステップＳ６６にてＭＦＴ４側の表示終了指示操作を検出した場合、このグループ内不応答着信履歴表示処理に関わる処理動作を終了する。
【０１０９】
図１０に示すグループ内不応答着信履歴表示処理によれば、着信履歴グループ内の不応答着信履歴情報をＭＦＴ４のＬＣＤ表示部１２に順次に表示可能にしたので、同ＭＦＴ４側のユーザは、着信履歴グループ内の不応答着信履歴情報を順次認識することができる。
【０１１０】
図１１は電話交換装置１のグループ内ボタン着信履歴表示処理に関わるＣＣ８内部の処理動作を示すフローチャートである。
【０１１１】
図１１に示すグループ内ボタン着信履歴表示処理は、ＭＦＴ４側の要求操作（履歴表示ボタン１１Ｂのボタン操作）に応じて、着信履歴グループ内の全てのボタン着信履歴情報を同ＭＦＴ４のＬＣＤ表示部に表示可能にする処理である。
【０１１２】
図１１においてＣＣ８内部の制御部４４は、図９に示すステップＳ５０で起動を開始し、記憶制御部４３を通じて表示対象の着信履歴グループ内のボタン着信履歴情報の内、着信日時が最新のボタン着信履歴情報をボタン着信履歴記憶部２３から読み出し、表示制御部４２Ｂを通じて同最新のボタン着信履歴情報をＭＦＴ４側のＬＣＤ表示部１２に表示する（ステップＳ８１）。
【０１１３】
制御部４４は、ボタン着信履歴情報をＭＦＴ４側のＬＣＤ表示部１２に表示すると、ボタン制御部４２Ａを通じて、同ＬＣＤ表示部１２に表示中のボタン着信履歴情報の発信者番号宛に履歴発信すべく、同ＭＦＴ４のオフフック操作を検出したか否かを判定する（ステップＳ８２）。
【０１１４】
制御部４４は、ＭＦＴ４側のオフフック操作を検出しなかった場合、ボタン制御部４２Ａを通じて、次のボタン着信履歴情報をＬＣＤ表示部１２に表示させるべく、ＭＦＴ４側のボタン着信履歴情報指定操作を検出したか否かを判定する（ステップＳ８３）。
【０１１５】
制御部４４は、ＭＦＴ４側のボタン着信履歴情報指定操作を検出しなかった場合、ボタン制御部４２Ａを通じて、同着信履歴グループ内の不応答着信履歴情報をＬＣＤ表示部１２に表示させるべく、ＭＦＴ４側の不応答着信履歴表示指定操作を検出したか否かを判定する（ステップＳ８４）。
【０１１６】
制御部４４は、ＭＦＴ４側の不応答着信履歴表示指定操作を検出しなかった場合、ボタン制御部４２Ａを通じて、同グループ内ボタン着信履歴表示処理に関わる処理動作を終了すべく、ＭＦＴ４側の表示終了指示操作を検出したか否かを判定する（ステップＳ８５）。
【０１１７】
制御部４４は、ＭＦＴ４側の表示終了指示操作を検出した場合、このグループ内ボタン着信履歴表示処理に関わる処理動作を終了する。
【０１１８】
また、制御部４４は、ステップＳ８５にてＭＦＴ４側の表示終了指示操作を検出しなかった場合、オフフック操作を検出したか否かを判定すべく、ステップＳ８２に移行する。
【０１１９】
また、制御部４４は、ステップＳ８２にてＭＦＴ４側のオフフック操作を検出した場合、通信制御部４１を通じて、同ＭＦＴ４のＬＣＤ表示部１２に表示中のボタン着信履歴情報の発信者番号に基づく履歴発信処理を実行し（ステップＳ８６）、このグループ内ボタン着信履歴表示処理に関わる処理動作を終了する。
【０１２０】
また、制御部４４は、ステップＳ８３にてＭＦＴ４側のボタン着信履歴情報指定操作を検出した場合、記憶制御部４３を通じて、ボタン着信履歴記憶部２３内に同着信履歴グループ内の次のボタン着信履歴情報があるか否かを判定する（ステップＳ８７）。
【０１２１】
制御部４４は、ボタン着信履歴記憶部２３内に同着信履歴グループ内の次のボタン着信履歴情報がある場合、記憶制御部４３を通じて同ボタン着信履歴情報をボタン着信履歴記憶部２３から読み出し、この読み出したボタン着信履歴情報を、表示制御部４２Ｂを通じて同ＭＦＴ４側のＬＣＤ表示部１２に表示させ（ステップＳ８８）、同ＭＦＴ４側のオフフック操作を検出したか否かを判定すべく、図１１中のＭ３に移行する。
【０１２２】
また、制御部４４は、ステップＳ８７にてボタン着信履歴記憶部２３内に同着信履歴グループ内の次のボタン着信履歴情報がない場合、ＭＦＴ４側の不応答着信履歴表示指定操作を監視する操作監視タイマをスタートし（ステップＳ８９）、ボタン制御部４２Ａを通じて同ＭＦＴ４側の不応答着信履歴表示指定操作を検出したか否かを判定する（ステップＳ９０）。
【０１２３】
制御部４４は、同ＭＦＴ４側の不応答着信履歴表示指定操作を検出した場合、表示対象の着信履歴グループ内の不応答着信履歴情報が不応答着信履歴記憶部２４内にあるか否かを判定すべく、図９に示すＭ４に移行する。
【０１２４】
また、制御部４４は、ステップＳ９０にて同ＭＦＴ４側の不応答着信履歴表示指定操作を検出しなかった場合、ステップＳ８９にて計時動作を開始した操作監視タイマがタイムアップしたか否かを判定する（ステップＳ９１）。
【０１２５】
また、制御部４４は、操作監視タイマがタイムアップした場合、このグループ内ボタン着信履歴表示処理に関わる処理動作を終了する。
【０１２６】
また、制御部４４は、ステップＳ９１にて操作監視タイマがタイムアップしなかった場合、ボタン制御部４２Ａを通じて不応答着信履歴表示指定操作を検出したか否かを監視すべく、ステップＳ９０に移行する。
【０１２７】
また、制御部４４は、ステップＳ８４にてＭＦＴ４側の不応答着信履歴表示指定操作を検出した場合、表示対象の着信履歴グループ内の不応答着信履歴情報が不応答着信履歴記憶部２４内にあるか否かを判定すべく、図９に示すＭ４に移行する。
【０１２８】
また、制御部４４は、ステップＳ８５にてＭＦＴ４側の表示終了指示操作を検出した場合、このグループ内ボタン着信履歴表示処理に関わる処理動作を終了する。
【０１２９】
図１１に示すグループ内ボタン着信履歴表示処理によれば、着信履歴グループ内のボタン着信履歴情報をＭＦＴ４のＬＣＤ表示部１２に順次に表示可能にしたので、同ＭＦＴ４側のユーザは、着信履歴グループ内のボタン着信履歴情報を順次認識することができる。
【０１３０】
本実施の形態によれば、ボタン着信を検出した場合、同ボタン着信に関わるボタン着信履歴情報を作成し、この作成したボタン着信に関わるボタン着信履歴情報をボタン着信履歴記憶部２３に記憶し、この記憶中のボタン着信に関わるボタン着信履歴情報をＭＦＴ４のＬＣＤ表示部１２に表示可能にしたので、ＭＦＴ４側のユーザは、ＬＣＤ表示部１２に表示中の表示内容を見て、同ボタン着信に関わるボタン着信履歴情報を認識することができる。
【０１３１】
また、本実施の形態によれば、複数の内線番号の内、任意の内線番号のボタン着信に関わるボタン着信履歴情報を表示可能にするＭＦＴ４のグループを着信履歴グループとして管理しておき、ボタン着信履歴記憶部２３に記憶中のボタン着信履歴情報に関わる内線番号に対応した着信履歴グループを検索し、この着信履歴グループに属する全ＭＦＴ４に対して同ボタン着信に関わるボタン着信履歴情報を表示可能にしたので、ＭＦＴ４側のユーザは、自分の属する着信履歴グループ内の同ボタン着信に関わるボタン着信履歴情報を認識することができる。
【０１３２】
また、本実施の形態によれば、ボタン着信に対する不応答を検出した場合、不応答のボタン着信に関わる不応答着信履歴情報を作成し、この作成した不応答着信履歴情報を不応答着信履歴記憶部２４に記憶し、この不応答着信履歴記憶部２４に記憶中の不応答着信履歴情報をＭＦＴ４のＬＣＤ表示部１２に表示可能にしたので、ＭＦＴ４側のユーザは、ＬＣＤ表示部１２に表示中の不応答着信履歴情報を見て、ボタン着信に関わる不応答着履歴情報を認識することができる。
【０１３３】
また、本実施の形態によれば、複数の内線番号の内、任意の内線番号のボタン着信に関わる不応答着信履歴情報を表示可能にするＭＦＴ４のグループを着信履歴グループとして管理しておき、不応答着信履歴記憶部２４に記憶中の不応答着信履歴情報に関わる内線番号に対応した着信履歴グループを検索し、この着信履歴グループに属する全ＭＦＴ４に対して同不応答着信履歴情報を表示可能にしたので、ＭＦＴ４側のユーザは、自分の属する着信履歴グループ内の同ボタン着信に関わる不応答着信履歴情報を認識することができる。
【０１３４】
また、本実施の形態によれば、不応答着信履歴記憶部２４に不応答着信履歴情報が記憶中の場合、同不応答着信履歴情報の内線番号に対応した着信履歴グループを検索し、この着信履歴グループに属するＭＦＴ４に対して同不応答のボタン着信の発生を識別表示させるべく、同ＭＦＴ４の履歴表示ボタン１１ＢのＬＥＤ１３を赤色点滅させるようにしたので、ＭＦＴ４側のユーザは、履歴表示ボタン１１ＢのＬＥＤ１３の赤色点滅を見て、自分の属する着信履歴グループ内で不応答のボタン着信の発生を認識することができる。
【０１３５】
また、本実施の形態によれば、ＭＦＴ４の複数の機能ボタンの内、任意のボタンに履歴表示機能を割り当て、同ボタンを履歴表示ボタン１１Ｂとして構成し、ＭＦＴ４側の履歴表示ボタン１１Ｂのボタン操作を検出すると、ボタン着信履歴記憶部２３に記憶中の同ＭＦＴ４が属する着信履歴グループに関わるボタン着信履歴情報を同ＭＦＴ４のＬＣＤ表示部１２に表示可能にしたので、ＭＦＴ４側のユーザは、履歴表示ボタン１１Ｂのボタン操作に応じて同ＭＦＴ４が属する着信履歴グループに関わるボタン着信履歴情報を表示画面上で認識することができる。
【０１３６】
また、本実施の形態によれば、ＭＦＴ４側の履歴表示ボタン１１Ｂのボタン操作を検出すると、不応答着信履歴記憶部２４に記憶中の同ＭＦＴ４が属する着信履歴グループに関わる不応答着信履歴情報を同ＭＦＴ４のＬＣＤ表示部１２に表示させるようにしたので、ＭＦＴ４側のユーザは、履歴表示ボタン１１Ｂのボタン操作に応じて同ＭＦＴ４が属する着信履歴グループに関わる不応答着信履歴情報を表示画面上で認識することができる。
【０１３７】
また、本実施の形態によれば、ＭＦＴ４側の履歴表示ボタン１１Ｂのボタン操作を検出すると、同ＭＦＴ４の入力パスワードと、表示対象の着信履歴グループの認証パスワードとを照合し、これら入力パスワード及び認証パスワードが合致した場合にのみ、ボタン着信履歴記憶部２３に記憶中の同ＭＦＴ４が属する着信履歴グループに関わる着信履歴情報を同ＭＦＴ４のＬＣＤ表示部１２に表示可能にしたので、着信履歴グループ内のボタン着信履歴情報に関わる第三者の不正アクセスを確実に防止することができる。
【０１３８】
また、本実施の形態によれば、ＭＦＴ４側の履歴表示ボタン１１Ｂのボタン操作を検出すると、同ＭＦＴ４からの入力パスワードと、表示対象の着信履歴グループの認証パスワードとを照合し、これら入力パスワード及び認証パスワードが合致した場合にのみ、不応答着信履歴記憶部２４に記憶中の同ＭＦＴ４が属する着信履歴グループに関わる不応答着信履歴情報を同ＭＦＴ４のＬＣＤ表示部１２に表示可能にしたので、着信履歴グループ内の不応答着信履歴情報に関わる第三者による不正アクセスを確実に防止することができる。
【０１３９】
尚、上記実施の形態においては、着信履歴グループ単位で同グループ内のボタン着信履歴情報や不応答着信履歴情報を同ＭＦＴ４のＬＣＤ表示部１２に表示可能にしたが、着信履歴グループ単位に限定しなくても、同ＭＦＴ４のＬＣＤ表示部１２に同ボタン着信履歴情報や不応答着信履歴情報等を表示可能にしても同様の効果が得られることは言うまでもない。
【０１４０】
また、上記実施の形態においては、ＩＳＤＮ網２から内線番号へのボタン着信に関わるボタン着信履歴情報及び不応答着信履歴情報を記憶するようにしたが、ＩＳＤＮ網２でなくても、着信先に発信者番号を通知する回線網であれば、同様の効果が得られることは言うまでもない。
【０１４１】
また、上記実施の形態においては、該当着信履歴グループ内の不応答着信履歴情報が記憶中の場合、同着信履歴グループに属する全ＭＦＴ４の履歴表示ボタン１１Ｂに対応したＬＥＤ１３を赤色点滅するようにしたが、着信履歴グループに関係なく、同不応答着信履歴情報を検出した場合、同不応答着信履歴情報に関わる内線番号のボタン着信に応答可能な着信応答ボタンを備えたＭＦＴ４にのみ、同ＭＦＴ４の履歴表示ボタン１１ＢのＬＥＤ１３を赤色点滅するようにしても、同様の効果が得られることは言うまでもない。
【産業上の利用可能性】
【０１４２】
本発明の電話交換装置によれば、ボタン着信を検出した場合、同ボタン着信に関わる着信履歴情報を作成し、この作成したボタン着信に関わる着信履歴情報を着信履歴情報記憶手段に記憶し、この記憶中のボタン着信に関わる着信履歴情報をボタン電話機の表示手段に表示可能にしたので、ボタン電話機のユーザは、表示手段に表示中の表示内容を見て、同ボタン着信に関わる着信履歴情報を認識することができるため、ボタン着信を採用した電話交換装置に有用である。
【図面の簡単な説明】
【０１４３】
【図１】本発明の実施の形態を示す電話交換装置内部の概略構成を示すブロック図である。
【図２】本実施の形態を示す電話交換装置内部の要部であるＣＣ及びＭＭ内部の概略構成を示すブロック図である。
【図３】本実施の形態に関わるＭＭ内部のボタン管理テーブルのテーブル内容を端的に示す説明図である。
【図４】本実施の形態に関わるＭＭ内部の着信履歴グループ管理テーブルのテーブル内容を端的に示す説明図である。
【図５】本実施の形態に関わるＭＭ内部のボタン着信履歴記憶部及び不応答着信履歴記憶部に記憶中のボタン着信履歴情報（不応答着信履歴情報）のデータ構成を端的に示す説明図である。
【図６】本実施の形態に関わるＭＦＴ上の表示部の表示内容である不応答着信履歴情報を端的に示す説明図である。
【図７】本実施の形態を示す電話交換装置の着信検出処理に関わるＣＣ内部の処理動作を示すフローチャートである。
【図８】本実施の形態を示す電話交換装置の不応答着信履歴識別表示処理に関わるＣＣ内部の処理動作を示すフローチャートである。
【図９】本実施の形態を示す電話交換装置のボタン着信履歴表示処理に関わるＣＣ内部の処理動作を示すフローチャートである。
【図１０】本実施の形態を示す電話交換装置のグループ内不応答着信履歴表示処理に関わるＣＣ内部の処理動作を示すフローチャートである。
【図１１】本実施の形態を示す電話交換装置のグループ内ボタン着信履歴表示処理に関わるＣＣ内部の処理動作を示すフローチャートである。
【符号の説明】
【０１４４】
１  電話交換装置
４  ＭＦＴ（ボタン電話機）
５Ａ  ＭＴＬＩＮ回路（内線回路）
１１Ａ  着信応答ボタン
１１Ｂ  履歴表示ボタン
１２  ＬＣＤ表示部（表示手段）
２２  着信履歴グループ管理テーブル（着信履歴グループ管理手段及び認証パスワード管理手段）
２３  ボタン着信履歴記憶部（着信履歴情報記憶手段）
２４  不応答着信履歴記憶部（不応答着信履歴情報記憶手段）
４２Ｂ  表示制御部（表示制御手段）
４４  制御部（表示制御手段）
４４Ａ  ボタン着信判定部（ボタン着信検出判定手段）
４４Ｂ  不応答検出判定部（不応答検出判定手段）
４４Ｃ  ボタン着信履歴情報作成部（着信履歴情報作成手段）
４４Ｄ  パスワード照合部（パスワード照合手段）
４４Ｅ  ボタン割当部（ボタン割当手段）
【図１】
0005066416.tif 000002
【図２】
0005066416.tif 000003
【図３】
0005066416.tif 000004
【図４】
0005066416.tif 000005
【図５】
0005066416.tif 000006
【図６】
0005066416.tif 000007
【図７】
0005066416.tif 000008
【図８】
0005066416.tif 000009
【図９】
0005066416.tif 000010
【図１０】
0005066416.tif 000011
【図１１】
0005066416.tif 000012